(57)【特許請求の範囲】
【請求項１】
マスター装置と、前記マスター装置とクロック同期を図るスレーブ装置と、を備え、
前記マスター装置は、クロック同期の基準クロック信号であるマスタークロック信号を生成し、前記マスタークロック信号を前記スレーブ装置に送信し、
前記スレーブ装置は、前記マスタークロック信号を前記マスター装置から受信し、前記マスタークロック信号に同期する同期クロック信号であるスレーブクロック信号を生成し、前記スレーブクロック信号を前記マスター装置に折り返しで送信し、
前記マスター装置は、前記スレーブクロック信号を前記スレーブ装置から折り返しで受信し、前記マスタークロック信号及び前記スレーブクロック信号の品質を測定し比較する
ことを特徴とする通信システム。
【請求項２】
前記マスター装置は、送信した前記マスタークロック信号及び折り返しで受信した前記スレーブクロック信号の品質の評価指標を測定し、送信した前記マスタークロック信号の品質を基準として、折り返しで受信した前記スレーブクロック信号の品質の劣化指標を測定し、測定により生成した品質の劣化指標が品質の劣化指標の閾値を超過すると判断したときには、前記スレーブクロック信号の品質異常を示す情報を生成する
ことを特徴とする請求項１に記載の通信システム。
【請求項３】
前記マスター装置は、送信した前記マスタークロック信号及び折り返しで受信した前記スレーブクロック信号の品質の評価指標を測定し、送信した前記マスタークロック信号の品質を基準として、折り返しで受信した前記スレーブクロック信号の品質の劣化指標を測定し、折り返しで受信した前記スレーブクロック信号の品質の劣化指標から、前記スレーブ装置から前記マスター装置への上り通信路における前記スレーブクロック信号の品質の劣化指標を除外し、除外により生成した品質の劣化指標が品質の劣化指標の閾値を超過すると判断したときには、前記スレーブクロック信号の品質異常を示す情報を生成する
ことを特徴とする請求項１に記載の通信システム。
【請求項４】
自装置及びスレーブ装置の間のクロック同期の基準クロック信号であるマスタークロック信号を生成するマスタークロック信号生成部と、
前記マスタークロック信号生成部が生成した前記マスタークロック信号を前記スレーブ装置に送信するマスタークロック信号送信部と、
前記マスタークロック信号送信部が送信した前記マスタークロック信号に同期する同期クロック信号であるスレーブクロック信号を前記スレーブ装置から折り返しで受信するスレーブクロック信号受信部と、
前記マスタークロック信号送信部が送信した前記マスタークロック信号及び前記スレーブクロック信号受信部が折り返しで受信した前記スレーブクロック信号の品質を測定し比較するクロック信号品質比較部と、
を備えることを特徴とするマスター装置。
【請求項５】
前記クロック信号品質比較部は、前記マスタークロック信号送信部が送信した前記マスタークロック信号及び前記スレーブクロック信号受信部が折り返しで受信した前記スレーブクロック信号の品質の評価指標を測定し、前記マスタークロック信号送信部が送信した前記マスタークロック信号の品質を基準として、前記スレーブクロック信号受信部が折り返しで受信した前記スレーブクロック信号の品質の劣化指標を測定し、測定により生成した品質の劣化指標が品質の劣化指標の閾値を超過すると判断したときには、前記スレーブクロック信号の品質異常を示す情報を生成する
ことを特徴とする請求項４に記載のマスター装置。
【請求項６】
前記クロック信号品質比較部は、前記マスタークロック信号送信部が送信した前記マスタークロック信号及び前記スレーブクロック信号受信部が折り返しで受信した前記スレーブクロック信号の品質の評価指標を測定し、前記マスタークロック信号送信部が送信した前記マスタークロック信号の品質を基準として、前記スレーブクロック信号受信部が折り返しで受信した前記スレーブクロック信号の品質の劣化指標を測定し、前記スレーブクロック信号受信部が折り返しで受信した前記スレーブクロック信号の品質の劣化指標から、前記スレーブ装置から自装置への上り通信路における前記スレーブクロック信号の品質の劣化指標を除外し、除外により生成した品質の劣化指標が品質の劣化指標の閾値を超過すると判断したときには、前記スレーブクロック信号の品質異常を示す情報を生成する
ことを特徴とする請求項４に記載のマスター装置。
【請求項７】
マスター装置及びスレーブ装置の間でクロック同期を図る際に、
前記マスター装置が、クロック同期の基準クロック信号であるマスタークロック信号を生成するマスタークロック信号生成ステップと、
前記マスター装置が、前記マスタークロック信号生成ステップで生成した前記マスタークロック信号を前記スレーブ装置に送信するマスタークロック信号送信ステップと、
前記スレーブ装置が、前記マスタークロック信号送信ステップで送信された前記マスタークロック信号を前記マスター装置から受信するマスタークロック信号受信ステップと、
前記スレーブ装置が、前記マスタークロック信号受信ステップで受信した前記マスタークロック信号に同期する同期クロック信号であるスレーブクロック信号を生成するスレーブクロック信号生成ステップと、
前記スレーブ装置が、前記スレーブクロック信号生成ステップで生成した前記スレーブクロック信号を前記マスター装置に折り返しで送信するスレーブクロック信号送信ステップと、
前記マスター装置が、前記スレーブクロック信号送信ステップで折り返し送信された前記スレーブクロック信号を前記スレーブ装置から折り返しで受信するスレーブクロック信号受信ステップと、
前記マスター装置が、前記マスタークロック信号送信ステップで送信したマスタークロック信号及び前記スレーブクロック信号受信ステップで折り返しで受信したスレーブクロック信号の品質を測定し比較するクロック信号品質比較ステップと、
を順に備えることを特徴とするクロック信号品質監視方法。
【発明の詳細な説明】
【技術分野】
【０００１】
本発明は、複数のノード装置の間で、高品質なクロック信号源から出力されるタイミング情報であるクロック情報を配信又は受信して、通信周波数を同期させて通信を行なう同期通信網における、クロック情報の配信及び受信の正常性の監視手段に関する。
【背景技術】
【０００２】
３Ｇ（３ｒｄ  Ｇｅｎｅｒａｔｉｏｎ）及び４Ｇ（４ｔｈ  Ｇｅｎｅｒａｔｉｏｎ）等、移動通信システムの基地局間を接続して基地局の間あるいは基地局及びコアネットワークの間でトラフィックを転送する通信網であるモバイルバックホールにおいては、接続される基地局の動作周波数を高い精度で同期させる必要がある。この動作周波数同期を実現するための代表的手段の一つとして、高精度のクロック信号源からのクロック情報を、通信網を介して通信網を構成する各ノード装置に対して配信することにより、各ノード装置の動作周波数を同期させる網同期方法が利用されている。
【０００３】
例えば、網同期方式のうち、Ｍａｓｔｅｒ−Ｓｌａｖｅ方式（非特許文献１のＩＴＵ−Ｔ  Ｇ．８１０）では、マスターノードは、高性能なクロック信号源（ＰＲＣ：Ｐｒｉｍａｒｙ  Ｒｅｆｅｒｅｎｃｅ  Ｃｌｏｃｋ）を備える。そして、網内のスレーブノードは、直接にマスターノードに接続することにより、そのクロック情報に対して直接的に従属して同期する。もしくは、網内のスレーブノードは、さらに多段のノードを経てマスターノードに接続することにより、そのクロック情報に対して間接的に従属して同期する。このように、ＰＲＣから同期が必要な各ノードまで通信路を辿ることにより、クロック情報を供給することができる。また、このＭａｓｔｅｒ−Ｓｌａｖｅ方式では、ＰＲＣからの接続段数に応じて、階層的にクロック品質レベルが定義されている。
【先行技術文献】
【非特許文献】
【０００４】
【非特許文献１】ＩＴＵ−Ｔ  Ｇ．８１０，Ｄｅｆｉｎｉｔｉｏｎｓ  ａｎｄ  ｔｅｒｍｉｎｏｌｏｇｙ  ｆｏｒ  ｓｙｎｃｈｒｏｎｉｚａｔｉｏｎ  ｎｅｔｗｏｒｋｓ．
【非特許文献２】ＩＴＵ−Ｔ  Ｇ．７８１，Ｓｙｎｃｈｒｏｎｉｚａｔｉｏｎ  ｌａｙｅｒ  ｆｕｎｃｔｉｏｎｓ．
【非特許文献３】ＩＴＵ−Ｔ  Ｇ．７０４，Ｓｙｎｃｈｒｏｎｏｕｓ  ｆｒａｍｅ  ｓｔｒｕｃｔｕｒｅｓ  ｕｓｅｄ  ａｔ  １５４４，６３１２，２０４８，８４４８  ａｎｄ  ４４７３６  ｋｂｉｔ／ｓ  ｈｉｅｒａｒｃｈｉｃａｌ  ｌｅｖｅｌｓ．
【発明の概要】
【発明が解決しようとする課題】
【０００５】
実際の同期通信網の運用においては、正常な通信の継続性を担保するために、クロック情報の供給が期待した品質で行われているか、常時監視する必要性がある。
【０００６】
Ｍａｓｔｅｒ−Ｓｌａｖｅ方式による周波数同期網において伝達されるクロック情報の品質管理の手法として、非特許文献２のＩＴＵ−Ｔ  Ｇ．７８１に規定される同期品質レベルを各スレーブ装置が判定し、非特許文献３のＩＴＵ−Ｔ  Ｇ．７０４に規定されるＳＳＭ（Ｓｙｎｃｈｒｏｎｏｕｓ  Ｓｔａｔｕｓ  Ｍｅｓｓａｇｅ）によって、各スレーブ装置に従属する下位のノードに対して同期品質レベルを通知する仕組みが存在する。
【０００７】
ただし、この手法では、スレーブ装置が同期品質レベルを判定するためには、判定すべき同期品質レベルに対応した性能を有する参照クロック信号源を、スレーブ装置側においてマスター装置側とは別に用意する必要がある。例えば、スレーブ装置側で、高精度なクロック信号の発振装置を、品質判定用に実装する方法などが考えられる。ただし、一般に発振装置は精度に応じて高価となるため、通信網中に多数存在するスレーブ装置それぞれに発信装置を実装することは、通信網のコストの大幅な増加の要因となる。
【０００８】
また、ＩＴＵ−Ｔ  Ｇ．７０４で規定されるＳＳＭは、マスター装置側からスレーブ装置側へと送信するクロック信号について、品質レベルをマスター装置側からスレーブ装置側へと通知する手段である。そして、スレーブ装置側での受信状況をスレーブ装置側からマスター装置側へと通知するためには、通信網の監視制御網等を利用して、折り返し方向への制御メッセージ送信手段及びそれを実現する制御機能を実装する必要がある。このため、ＳＳＭの送受を利用して品質監視を行なう方法は、スレーブ装置が多数存在する大規模な同期網には適さないという課題があった。
【０００９】
そこで、前記課題を解決するために、本発明は、Ｍａｓｔｅｒ−Ｓｌａｖｅ方式を採用する通信システムにおいて、多数存在するスレーブ装置の実装を簡素化し、装置コストを抑えて同期品質の監視を実現し、クライアントデータの転送帯域を消費しない技術を実現することを目的とする。
【課題を解決するための手段】
【００１０】
上記目的を達成するために、スレーブ装置は、物理信号に重畳されたクロック情報を、マスター装置から受信・抽出し、物理信号に重畳された折り返しのクロック情報を、マスター装置に送信する。そして、マスター装置は、物理信号に重畳された折り返しのクロック情報を、スレーブ装置から受信・抽出し、送信したクロック情報の品質及び受信・抽出した折り返しのクロック情報の品質を測定・比較することにより、送信したクロック情報がスレーブ装置に対して正常に供給されているかどうか、送信したクロック情報がスレーブ装置において正常に抽出されているかどうか、確認する。
【００１１】
本発明は、マスター装置と、前記マスター装置とクロック同期を図るスレーブ装置と、を備え、前記マスター装置は、クロック同期の基準クロック信号であるマスタークロック信号を生成し、前記マスタークロック信号を前記スレーブ装置に送信し、前記スレーブ装置は、前記マスタークロック信号を前記マスター装置から受信し、前記マスタークロック信号に同期する同期クロック信号であるスレーブクロック信号を生成し、前記スレーブクロック信号を前記マスター装置に折り返しで送信し、前記マスター装置は、前記スレーブクロック信号を前記スレーブ装置から折り返しで受信し、前記マスタークロック信号及び前記スレーブクロック信号の品質を測定し比較することを特徴とする通信システムである。
【００１２】
また、本発明は、自装置及びスレーブ装置の間のクロック同期の基準クロック信号であるマスタークロック信号を生成するマスタークロック信号生成部と、前記マスタークロック信号生成部が生成した前記マスタークロック信号を前記スレーブ装置に送信するマスタークロック信号送信部と、前記マスタークロック信号送信部が送信した前記マスタークロック信号に同期する同期クロック信号であるスレーブクロック信号を前記スレーブ装置から折り返しで受信するスレーブクロック信号受信部と、前記マスタークロック信号送信部が送信した前記マスタークロック信号及び前記スレーブクロック信号受信部が折り返しで受信した前記スレーブクロック信号の品質を測定し比較するクロック信号品質比較部と、を備えることを特徴とするマスター装置である。
【００１４】
また、本発明は、マスター装置及びスレーブ装置の間でクロック同期を図る際に、前記マスター装置が、クロック同期の基準クロック信号であるマスタークロック信号を生成するマスタークロック信号生成ステップと、前記マスター装置が、前記マスタークロック信号生成ステップで生成した前記マスタークロック信号を前記スレーブ装置に送信するマスタークロック信号送信ステップと、前記スレーブ装置が、前記マスタークロック信号送信ステップで送信された前記マスタークロック信号を前記マスター装置から受信するマスタークロック信号受信ステップと、前記スレーブ装置が、前記マスタークロック信号受信ステップで受信した前記マスタークロック信号に同期する同期クロック信号であるスレーブクロック信号を生成するスレーブクロック信号生成ステップと、前記スレーブ装置が、前記スレーブクロック信号生成ステップで生成した前記スレーブクロック信号を前記マスター装置に折り返しで送信するスレーブクロック信号送信ステップと、前記マスター装置が、前記スレーブクロック信号送信ステップで折り返し送信された前記スレーブクロック信号を前記スレーブ装置から折り返しで受信するスレーブクロック信号受信ステップと、前記マスター装置が、前記マスタークロック信号送信ステップで送信したマスタークロック信号及び前記スレーブクロック信号受信ステップで折り返しで受信したスレーブクロック信号の品質を測定し比較するクロック信号品質比較ステップと、を順に備えることを特徴とするクロック信号品質監視方法である。
【００１５】
この構成によれば、Ｍａｓｔｅｒ−Ｓｌａｖｅ方式を採用する通信システムにおいて、多数存在するスレーブ装置の実装を簡素化し、装置コストを抑えて同期品質の監視を実現し、クライアントデータの転送帯域を消費しない技術を実現することができる。
【００１６】
また、本発明は、前記マスター装置は、送信した前記マスタークロック信号及び折り返しで受信した前記スレーブクロック信号の品質の評価指標を測定し、送信した前記マスタークロック信号の品質を基準として、折り返しで受信した前記スレーブクロック信号の品質の劣化指標を測定し、測定により生成した品質の劣化指標が品質の劣化指標の閾値を超過すると判断したときには、前記スレーブクロック信号の品質異常を示す情報を生成することを特徴とする通信システムである。
【００１７】
また、本発明は、前記クロック信号品質比較部は、前記マスタークロック信号送信部が送信した前記マスタークロック信号及び前記スレーブクロック信号受信部が折り返しで受信した前記スレーブクロック信号の品質の評価指標を測定し、前記マスタークロック信号送信部が送信した前記マスタークロック信号の品質を基準として、前記スレーブクロック信号受信部が折り返しで受信した前記スレーブクロック信号の品質の劣化指標を測定し、測定により生成した品質の劣化指標が品質の劣化指標の閾値を超過すると判断したときには、前記スレーブクロック信号の品質異常を示す情報を生成することを特徴とするマスター装置である。
【００１８】
この構成によれば、通信路での伝送時及びスレーブ装置での抽出時におけるクロック信号の品質劣化の程度に応じて、スレーブ装置が下位の装置にクロック信号を転送することを禁止することができ、クロック同期の異常状態が伝搬することを防止することができる。
【００１９】
また、本発明は、前記マスター装置は、送信した前記マスタークロック信号及び折り返しで受信した前記スレーブクロック信号の品質の評価指標を測定し、送信した前記マスタークロック信号の品質を基準として、折り返しで受信した前記スレーブクロック信号の品質の劣化指標を測定し、折り返しで受信した前記スレーブクロック信号の品質の劣化指標から、前記スレーブ装置から前記マスター装置への上り通信路における前記スレーブクロック信号の品質の劣化指標を除外し、除外により生成した品質の劣化指標が品質の劣化指標の閾値を超過すると判断したときには、前記スレーブクロック信号の品質異常を示す情報を生成することを特徴とする通信システムである。
【００２０】
また、本発明は、前記クロック信号品質比較部は、前記マスタークロック信号送信部が送信した前記マスタークロック信号及び前記スレーブクロック信号受信部が折り返しで受信した前記スレーブクロック信号の品質の評価指標を測定し、前記マスタークロック信号送信部が送信した前記マスタークロック信号の品質を基準として、前記スレーブクロック信号受信部が折り返しで受信した前記スレーブクロック信号の品質の劣化指標を測定し、前記スレーブクロック信号受信部が折り返しで受信した前記スレーブクロック信号の品質の劣化指標から、前記スレーブ装置から自装置への上り通信路における前記スレーブクロック信号の品質の劣化指標を除外し、除外により生成した品質の劣化指標が品質の劣化指標の閾値を超過すると判断したときには、前記スレーブクロック信号の品質異常を示す情報を生成することを特徴とするマスター装置である。
【００２１】
この構成によれば、通信路での伝送時及びスレーブ装置での抽出時におけるクロック信号の品質劣化の程度に応じて、スレーブ装置が下位の装置にクロック信号を転送することを禁止することができ、クロック同期の異常状態が伝搬することを防止することができる。そして、クロック信号の品質劣化を評価するにあたり、スレーブ装置からマスター装置への上り通信路での伝送時におけるクロック信号の品質劣化の影響を除外したうえで、マスター装置からスレーブ装置への下り通信路での伝送時及びスレーブ装置での抽出時におけるクロック信号の品質劣化の影響のみ考慮することができる。
【発明の効果】
【００２２】
本発明は、Ｍａｓｔｅｒ−Ｓｌａｖｅ方式を採用する通信システムにおいて、多数存在するスレーブ装置の実装を簡素化し、装置コストを抑えて同期品質の監視を実現し、クライアントデータの転送帯域を消費しない技術を実現することができる。
【図面の簡単な説明】
【００２３】
【図１】実施形態１のクロック信号品質監視方法を示す図である。
【図２】実施形態１の他のクロック信号品質監視方法を示す図である。
【図３】実施形態１の他のクロック信号品質監視方法を示す図である。
【図４】実施形態１の他のクロック信号品質監視方法を示す図である。
【図５】実施形態２のクロック信号品質監視方法を示す図である。
【図６】実施形態２の他のクロック信号品質監視方法を示す図である。
【図７】実施形態３のクロック信号品質監視方法を示す図である。
【発明を実施するための形態】
【００２４】
添付の図面を参照して本発明の実施形態を説明する。以下に説明する実施形態は本発明の実施の例であり、本発明は以下の実施形態に制限されるものではない。なお、本明細書及び図面において符号が同じ構成要素は、相互に同一のものを示すものとする。
【００２５】
（実施形態１）
実施形態１は、マスター装置からスレーブ装置に供給したクロック情報が、スレーブ装置に対して正常に供給されていることと、スレーブ装置において正常に抽出されていることを、マスター装置において確認する手段を、スレーブ装置からマスター装置にクロック情報を折り返すことにより実現するものである。
【００２６】
実施形態１のクロック信号品質監視方法を図１に示す。実施形態１の通信網は、マスター装置１、スレーブ装置２、下り通信路３及び上り通信路４から構成される。
【００２７】
マスター装置１は、スレーブ装置２に対して、タイミング情報であるクロック情報を、下り通信路３を介して供給する機能、スレーブ装置２から、折り返しのクロック情報を、上り通信路４を介して受信する機能、及び、折り返しのクロック情報の品質レベルを判定する機能を備える。また、マスター装置１は、クライアントデータの転送機能を備える。
【００２８】
スレーブ装置２は、マスター装置１から、タイミング情報であるクロック情報を、下り通信路３を介して受信する機能、及び、マスター装置１に対して、折り返しのクロック情報を、上り通信路４を介して供給する機能を備える。また、スレーブ装置２は、クライアントデータの転送機能を備える。
【００２９】
マスター装置１及びスレーブ装置２は、下り通信路３及び上り通信路４で接続され、これらを通じて、クロック情報及びクライアントデータの送信・受信が可能である。
【００３０】
なお、下り通信路３及び上り通信路４での物理信号として、クロック情報と共にクライアントデータが転送されてもよい。また、クライアントデータが転送されていないタイミングでは、アイドル状態の物理信号にクロック情報を重畳することで、下り通信路３及び上り通信路４での物理信号として、クロック情報のみ転送されてもよい。
【００３１】
また、下り通信路３及び上り通信路４として、光ファイバ、ツイストペアケーブル、同軸ケーブル、及び、無線などを利用することができ、それらの通信路の中の特定周波数チャネル及び偏波チャネル（光ファイバの場合）などを利用することができる。
【００３２】
マスター装置１は、制御機能部１１、レシーバ１２、トランスミッタ１３、レシーバ１４、トランスミッタ１５、クロック信号源１６、クロック抽出機能部１７及びクロック品質判定部１８から構成される。
【００３３】
制御機能部１１は、マスター装置１の各機能部を制御する機能部である。レシーバ１２は、上位の装置から通信路を介して、クライアントデータが重畳された物理信号を受信する機能部である。トランスミッタ１３は、スレーブ装置２に下り通信路３を介して、クライアントデータ及びクロック信号源１６から供給されたクロック情報が重畳された物理信号を送信する機能部である。レシーバ１４は、スレーブ装置２から上り通信路４を介して、クライアントデータ及び同期機能部２７から供給されたクロック情報が重畳された物理信号を受信する機能部である。トランスミッタ１５は、上位の装置に通信路を介して、クライアントデータが重畳された物理信号を送信する機能部である。
【００３４】
クロック信号源１６は、スレーブ装置２に対して供給するクロック情報のソースである。クロック抽出機能部１７は、レシーバ１４により受信した物理信号から、クロック情報を抽出する機能部である。クロック品質判定部１８は、制御機能部１１により指定された指標を利用して、トランスミッタ１３及びレシーバ１４が送受信したクロック情報の品質を比較判定し、制御機能部１１等に判定結果を通知する機能部である。
【００３５】
スレーブ装置２は、制御機能部２１、レシーバ２２、トランスミッタ２３、レシーバ２４、トランスミッタ２５、クロック抽出機能部２６及び同期機能部２７から構成される。
【００３６】
制御機能部２１は、スレーブ装置２の各機能部を制御する機能部である。レシーバ２２は、マスター装置１から下り通信路３を介して、クライアントデータ及びクロック信号源１６から供給されたクロック情報が重畳された物理信号を受信する機能部である。トランスミッタ２３は、下位の装置に通信路を介して、クライアントデータ及び同期機能部２７から供給されたクロック情報が重畳された物理信号を送信する機能部である。レシーバ２４は、下位の装置から通信路を介して、クライアントデータが重畳された物理信号を受信する機能部である。トランスミッタ２５は、マスター装置１に上り通信路４を介して、クライアントデータ及び同期機能部２７から供給されたクロック情報が重畳された物理信号を送信する機能部である。
【００３７】
クロック抽出機能部２６は、レシーバ２２により受信した物理信号から、クロック情報を抽出する機能部である。同期機能部２７は、クロック抽出機能部２６の抽出したクロック情報に対して、同期したクロック情報を生成する機能部である。
【００３８】
マスター装置１において、クロック信号源１６は、トランスミッタ１３及びクロック品質判定部１８に、クロック情報を供給する。トランスミッタ１３に供給されたクロック情報は、以下の経路でスレーブ装置２を経由してマスター装置１に折り返される。
【００３９】
１）マスター装置１のトランスミッタ１３において、下り通信路３に送信される物理信号に、クロック信号源１６から供給されたクロック情報を重畳する。
２）スレーブ装置２のレシーバ２２において、クロック信号源１６から供給されたクロック情報が重畳された物理信号を、下り通信路３から受信する。
３）スレーブ装置２のクロック抽出機能部２６において、クロック信号源１６から供給されたクロック情報が重畳された物理信号から、クロック情報を抽出する。
４）スレーブ装置２の同期機能部２７において、クロック抽出機能部２６から供給されたクロック情報に対して、同期したクロック情報を生成する。
５）スレーブ装置２のトランスミッタ２５において、上り通信路４に送信される物理信号に、同期機能部２７から供給されたクロック情報を重畳する。
６）マスター装置１のレシーバ１４において、同期機能部２７から供給されたクロック情報が重畳された物理信号を、上り通信路４から受信する。
７）マスター装置１のクロック抽出機能部１７において、同期機能部２７から供給されたクロック情報が重畳された物理信号から、クロック情報を抽出する。
８）マスター装置１のクロック品質判定部１８において、クロック抽出機能部１７から供給されたクロック情報に対して、品質判定を行なう。
【００４０】
マスター装置１において、クロック品質判定部１８は、適用する品質評価指標に対応した監視機能を、品質監視開始前に制御機能部１１により設定される。クロック品質判定部１８は、クロック信号源１６及びクロック抽出機能部１から供給されたクロック情報を、制御機能部１１により設定された品質評価指標を利用して比較する。クロック品質判定部１８は、品質評価指標の差分（つまり、品質劣化指標）が品質評価指標の差分の閾値（つまり、品質劣化指標の閾値）を超過すると判断したときには、スレーブ装置２が抽出・出力したクロック信号の品質異常を示す情報を制御機能部１１等に通知する。
【００４１】
クロック情報の品質劣化は、以下の要因で発生する。第１の要因として、下り通信路３及び上り通信路４に起因する品質劣化がある。例えば、光通信路により伝送する場合、波長分散、偏波分散、及び、環境温度変化に伴う位相変動がある。第２の要因として、スレーブ装置２の同期機能部２７の同期性能に起因する品質劣化がある。
【００４２】
実施形態１で測定されるクロック情報の品質劣化指標は、下り通信路３、折り返しの上り通信路４及びスレーブ装置２の同期機能部２７の同期性能に起因する品質劣化を考慮している。しかし、本来的に測定されるべきクロック情報の品質劣化指標は、下り通信路３及びスレーブ装置２の同期機能部２７の同期性能に起因する品質劣化を考慮すべきであって、折り返しの上り通信路４に起因する品質劣化を考慮すべきではない。
【００４３】
そこで、実施形態１の変形例として、クロック品質判定部１８は、クロック信号源１６及びクロック抽出機能部１７から供給されたクロック情報を、制御機能部１１により設定された品質評価指標を利用して比較して、品質評価指標の差分（つまり、仮想の品質劣化指標）から、上り通信路４に起因する品質劣化指標（つまり、余剰の品質劣化指標）を減算してもよい。そして、実施形態１の変形例として、クロック品質判定部１８は、品質評価指標の減算値（つまり、本来の品質劣化指標）が品質評価指標の減算値の閾値（つまり、本来の品質劣化指標の閾値）を超過すると判断したときには、スレーブ装置２が抽出・出力したクロック信号の品質異常を示す情報を制御機能部１１等に通知してもよい。
【００４４】
また、図２及び図３に示すように、マスター装置１において、クロック信号源１６を搭載することに代えて、他装置から供給されるクロック情報に同期可能な同期機能部１９を搭載することができて、外部クロックに同期したクロック情報を生成することができる。
【００４５】
実施形態１の他のクロック信号品質監視方法を図２に示す。マスター装置１は、同期機能部１９を備え、外部クロック信号源５からクロック情報の供給を受ける。同期機能部１９は、外部クロック信号源５から供給されたクロック情報に同期したクロック情報を生成し、クロック品質判定部１８は、外部クロック信号源５から供給されたクロック情報を入力する。クロック情報がトランスミッタ１３に供給された後の処理方法は、図１と同様である。
【００４６】
実施形態１の他のクロック信号品質監視方法を図３に示す。マスター装置１は、同期機能部１９を備え、上位の装置からクロック情報の供給を受ける。同期機能部１９は、上位の装置から供給されたクロック情報に同期したクロック情報を生成し、クロック品質判定部１８は、同期機能部１９から供給されたクロック情報を入力する。クロック情報がトランスミッタ１３に供給された後の処理方法は、図１と同様である。
【００４７】
実施形態１の他のクロック信号品質監視方法を図４に示す。マスター装置１は、同期機能部１９を備え、内部クロック信号源２０でクロック情報の生成を行なう。同期機能部１９は、内部クロック信号源２０から供給されたクロック情報に同期したクロック情報を生成し、クロック品質判定部１８は、内部クロック信号源２０から供給されたクロック情報を入力する。クロック情報がトランスミッタ１３に供給された後の処理方法は、図１と同様である。
【００４８】
また、マスター装置１は、同期機能部１９を備え、かつ、図２〜図４のクロック信号供給を全て備え、外部クロック信号源５、上位の装置及び内部クロック信号源２０のうちから、利用するクロック信号源を選択することもできる。
【００４９】
実施形態１では、以下の効果を奏する。第１の効果として、大規模な周波数同期網の品質監視機能を、低コストな装置構成で実現することができる。第２の効果として、ユーザの帯域を消費することなく、クロック情報の品質監視を実施することができる。第３の効果として、品質判定が必要な装置（例えば、スレーブ装置２）に高信頼な品質比較用のリファレンスがない場合でも、高信頼な品質比較用のリファレンスを備える他の装置（例えば、マスター装置１）において、所望の装置（例えば、スレーブ装置２）に供給されたクロック情報の品質判定を行なうことができる。第４の効果として、他の通信サービス等の目的で高信頼なクロックを既存設備として備える特定のロケーション（通信設備局舎等）において、既存設備を有効活用してクロック情報の品質判定を行なうことができる。
【００５０】
（実施形態２）
実施形態２では、マスター装置は、同期機能部としてＰＬＬ（Ｐｈａｓｅ  Ｌｏｃｋ  Ｌｏｏｐ）回路を備え、外部クロック信号源、内部クロック信号源、又は、他装置とのデータの送受信用の接続インタフェースであるＳＮＩ−ＩＦ（Ｓｅｒｖｉｃｅ  Ｎｅｔｗｏｒｋ  Ｉｎｔｅｒｆａｃｅ）から抽出したクロック情報に同期する。また、物理信号及びデータ信号の通信には、Ｅｔｈｅｒｎｅｔ（登録商標）を適用する。
【００５１】
実施形態２のクロック信号品質監視方法を図５に示す。実施形態２の通信網は、端局装置６、端局装置６の制御パッケージ６１、終端装置７、終端装置７の制御パッケージ７１、光ファイバ８、外部クロック信号源９及びＯＳＳ１０から構成される。
【００５２】
マスター装置は、端局装置６及び制御パッケージ６１により実現される。スレーブ装置は、終端装置７及び制御パッケージ７１により実現される。また、端局装置６及び終端装置７の制御パッケージ６１、７１は、光ファイバ８により接続されている。また、端局装置６及び終端装置７の制御パッケージ６１、７１は、制御メッセージを交換可能な上位オペレーションサポートシステム（ＯＳＳ：Ｏｐｅａｒｉｏｎ  Ｓｕｐｐｏｒｔ  Ｓｙｓｔｅｍ）１０を介して、制御リンクにより接続されている。
【００５３】
なお、ＳＮＩ−ＩＦ、後述のＯＳＵ−ＩＦ（Ｏｐｔｉｃａｌ  Ｓｅｒｖｉｃｅ  Ｕｎｉｔ  Ｉｎｔｅｒｆａｃｅ）、後述のＯＮＵ−ＩＦ（Ｏｐｔｉｃａｌ  Ｎｅｔｗｏｒｋ  Ｕｎｉｔ  Ｉｎｔｅｒｆａｃｅ）、後述のＵＮＩ−ＩＦ（Ｕｓｅｒ  Ｎｅｔｗｏｒｋ  Ｉｎｔｅｒｆａｃｅ）の種別に応じて、光ファイバ８の代わりにツイストペアケーブルを通信路としてもよい。また、光ファイバ８として、双方向で別のファイバを用いてもよく、双方向で同じファイバを用いてもよい（つまり、一芯通信としてもよい）。
【００５４】
端局装置６は、ＳＮＩ−ＩＦ６２、ＯＳＵ−ＩＦ６３、ＰＨＹ終端部６４、６５、論理回路６６、発振器６７及びＰＬＬ回路６８から構成される。
【００５５】
ＳＮＩ−ＩＦ６２は、他ノード装置へ接続するためのＩＦ機能部であり、光ファイバに接続される。Ｅｔｈｅｒｎｅｔ（登録商標）の物理信号の物理的終端機能、トランスミッタ機能及びレシーバ機能を実現し、接続先毎に実装される。例えば、ＭＳＡ規格であるＳＦＰ、ＸＦＰ、ＳＦＰ＋、ＣＦＰ、ＱＳＦＰ等の、プラガブルトランシーバを利用することができる。
【００５６】
ＯＳＵ−ＩＦ６３は、終端装置７へ接続するためのＩＦ機能部であり、光ファイバ８に接続される。Ｅｔｈｅｒｎｅｔ（登録商標）の物理信号の物理的終端機能、トランスミッタ機能及びレシーバ機能を実現し、接続先毎に実装される。例えば、ＭＳＡ規格であるＳＦＰ、ＸＦＰ、ＳＦＰ＋、ＣＦＰ、ＱＳＦＰ等の、プラガブルトランシーバを利用することができる。
【００５７】
ＰＨＹ終端部６４、６５は、通信路を通して伝送されるＥｔｈｅｒｎｅｔ（登録商標）信号の論理的終端機能を実現するデバイス部であり、トランスミッタ機能及びレシーバ機能を備える。ＩＥＥＥ８０２．３規定のＥｔｈｅｒｎｅｔ（登録商標）  ＰＨＹ機能を実現するＩＣ（Ｉｎｔｅｇｒａｔｅｄ  Ｃｉｒｃｕｉｔ）により実現される。接続される光ファイバの方路毎に実装される。終端装置７側の方路に対して実装されるＰＨＹ終端部６５では、ＰＬＬ回路６８から供給を受けたクロック情報を送信信号に重畳し、終端装置７から受信したＥｔｈｅｒｎｅｔ（登録商標）信号からクロック情報を抽出する。
【００５８】
論理回路６６は、制御パッケージ６１から指定された指標に従って、複数のクロック情報を比較し、品質の差分を判定する論理を実装した論理回路である。ＦＰＧＡ（Ｆｉｅｌｄ  Ｐｒｏｇｒａｍｍａｂｌｅ  Ｇａｔｅ  Ａｒｒａｙ）等により実現される。終端装置７に接続されるＰＨＹ終端部６５から供給されたクロック情報と、外部クロック信号源９から供給されたクロック情報と、が入力される。
【００５９】
発振器６７は、ＴＣＸＯ（Ｔｅｍｐｅｒａｔｕｒｅ  Ｃｏｍｐｅｎｓａｔｅｄ  Ｃｒｙｓｔａｌ  Ｏｓｃｉｌｌａｔｏｒ）及びＯＣＸＯ（Ｏｖｅｎ  Ｃｏｎｔｒｏｌｌｅｄ  Ｃｒｙｓｔａｌ  Ｏｓｃｉｌｌａｔｏｒ）等の発振器である。
【００６０】
ＰＬＬ回路６８は、入力されたタイミング情報（クロック情報）に同期したタイミング情報（クロック情報）を出力する回路部である。発振器６７又は外部クロック信号源９から、タイミング情報（クロック情報）を入力する入力部を備え、発振器６７及び外部クロック信号源９のうち、同期対象とする供給元クロック信号源を選択することができる。
【００６１】
制御パッケージ６１は、ＣＰＵ（Ｃｅｎｔｒａｌ  Ｐｒｏｃｅｓｓｉｎｇ  Ｕｎｉｔ）及び記憶装置を備え、実装されたソフトウェアにより、端局装置６を制御する機能部である。論理回路６６に対して、終端装置７から折り返されたクロック情報の劣化状況を判定する評価指標を設定する。時間経過に応じて継続的に品質を測定する場合については、論理回路６６に対して、観測時間間隔を設定する。また、制御メッセージを生成する機能を備え、通信路を通じて他ノードに制御メッセージを送信する機能も備える。
【００６２】
終端装置７は、ＯＮＵ−ＩＦ７２、ＵＮＩ−ＩＦ７３、ＰＨＹ終端部７４、７５、論理回路７６及びＰＬＬ回路７７から構成される。
【００６３】
ＯＮＵ−ＩＦ７２は、端局装置６へ接続するためのＩＦ機能部であり、光ファイバ８に接続される。Ｅｔｈｅｒｎｅｔ（登録商標）の物理信号の物理的終端機能、トランスミッタ機能及びレシーバ機能を実現し、接続先毎に実装される。例えば、ＭＳＡ規格であるＳＦＰ、ＸＦＰ、ＳＦＰ＋、ＣＦＰ、ＱＳＦＰ等の、プラガブルトランシーバを利用することができる。
【００６４】
ＵＮＩ−ＩＦ７３は、下位の装置へ接続するためのＩＦ機能部であり、光ファイバに接続される。Ｅｔｈｅｒｎｅｔ（登録商標）の物理信号の物理的終端機能、トランスミッタ機能及びレシーバ機能を実現し、接続先毎に実装される。例えば、ＭＳＡ規格であるＳＦＰ、ＸＦＰ、ＳＦＰ＋、ＣＦＰ、ＱＳＦＰ等の、プラガブルトランシーバを利用することができる。
【００６５】
ＰＨＹ終端部７４、７５は、通信路を通して伝送されるＥｔｈｅｒｎｅｔ（登録商標）信号の論理的終端機能を実現するデバイス部であり、トランスミッタ機能及びレシーバ機能を備える。ＩＥＥＥ８０２．３規定のＥｔｈｅｒｎｅｔ（登録商標）  ＰＨＹ規格を実現するＩＣにより実現される。接続される光ファイバの方路毎に実装される。端局装置６側の方路に対して実装されるＰＨＹ終端部７４では、端局装置６から受信したＥｔｈｅｒｎｅｔ（登録商標）信号からクロック情報を抽出し、ＰＬＬ回路７７から供給を受けたクロック情報を送信信号に重畳する。
【００６６】
論理回路７６は、制御パッケージ７１から指定された指標に従って、終端装置７のデバイスを管理制御する機能部である。ＦＰＧＡ等により実現される。
【００６７】
ＰＬＬ回路７７は、入力されたタイミング情報（クロック情報）に同期したタイミング情報（クロック情報）を出力する回路部である。ＰＨＹ終端部７４から供給されたタイミング情報（クロック情報）に同期したタイミング情報（クロック情報）を生成し、生成されたタイミング情報（クロック情報）をＰＨＹ終端部７４に供給する。
【００６８】
制御パッケージ７１は、ＣＰＵ及び記憶装置を備え、実装されたソフトウェアにより、終端装置７を制御する機能部である。他装置からのメッセージが受信されたことをトリガとして、端局装置６側から受信したクロック情報をＵＮＩ−ＩＦ７３側に転送するかどうかを決定する。端局装置６側からのクロック品質異常通知が上位ＯＳＳ１０経由で受信されたとき、端局装置６側から受信したクロック情報をＵＮＩ−ＩＦ７３側に転送しない。
【００６９】
クロック情報は、以下の経路で、終端装置７を経由して、端局装置６に折り返される。
【００７０】
１）端局装置６のＰＬＬ回路６８において、外部クロック信号源９から供給された外部リファレンスクロックに同期したクロック情報を生成する。
２）端局装置６のＰＨＹ終端部６５において、ＰＬＬ回路６８から供給されたクロック情報を重畳された物理信号を、ＯＳＵ−ＩＦ６３及び光ファイバ８を介して、終端装置７のＯＮＵ−ＩＦ７２に送信する。この際、Ｅｔｈｅｒｎｅｔ（登録商標）フレーム等の論理データが、クロック情報とともに送信されていてもよい。
３）終端装置７のＰＨＹ終端部７４において、ＯＮＵ−ＩＦ７２から入力された物理信号から、ＰＬＬ回路６８から供給されたクロック情報を抽出する。
４）終端装置７のＰＬＬ回路７７において、ＰＨＹ終端部７４から供給されたクロック情報に同期したクロック情報を生成する。
５）終端装置７のＰＨＹ終端部７４において、ＰＬＬ回路７７から供給されたクロック情報を重畳された物理信号を、ＯＮＵ−ＩＦ７２及び光ファイバ８を介して、端局装置６のＯＳＵ−ＩＦ６３に送信する。この際、Ｅｔｈｅｒｎｅｔ（登録商標）フレーム等の論理データが、クロック情報とともに送信されていてもよい。
６）端局装置６のＰＨＹ終端部６５において、ＯＳＵ−ＩＦ６３から入力された物理信号から、ＰＬＬ回路７７から供給されたクロック情報を抽出する。
７）端局装置６の論理回路６６において、ＰＨＹ終端部６５から供給されたクロック情報に対して、品質判定を行なう。
【００７１】
制御パッケージ６１は、ＯＳＳ１０による設定に基づいて、ＰＨＹ終端部６５から供給されたクロック情報についての品質評価指標として、例えば、外部クロック信号源９から供給されたクロック情報を基準として、ワンダやジッタや周波数に関する以下のような品質評価指標１）〜６）を指定する。また、制御パッケージ６１は、ＯＳＳ１０による設定に基づいて、品質評価指標の観測時間と、クロック品質異常通知を出力するかどうかを決定するための品質劣化指標の閾値と、を指定する。
【００７２】
１）Ｔｉｍｅ  Ｉｎｔｅｒｖａｌ  Ｅｒｒｏｒ（ＴＩＥ）
２）Ａｌｌａｎ  Ｄｅｖｉａｔｉｏｎ（ＡＤＥＶ）
３）Ｍｏｄｉｆｉｅｄ  Ａｌｌａｎ  Ｄｅｖｉａｔｉｏｎ（ＭＤＥＶ）
４）Ｔｉｍｅ  Ｄｅｖｉａｔｉｏｎ（ＴＤＥＶ）
５）Ｍａｘｉｍｕｍ  Ｔｉｍｅ  Ｉｎｔｅｒｖａｌ  Ｅｒｒｏｒ（ＭＴＩＥ）
６）Ｆｒａｃｔｉｏｎａｌ  Ｆｒｅｑｕｅｎｃｙ  Ｏｆｆｓｅｔ（ＦＦＯ）
【００７３】
ここで、制御パッケージ６１は、ＯＳＳ１０による設定に基づいて、端局装置６及び終端装置７を接続する光ファイバ８の分散特性と、終端装置７に実装されるＰＬＬ回路７７の誤差特性と、から生じる通信システム固有の品質劣化期待値を設定することもできる。そして、制御パッケージ６１は、ＯＳＳ１０による設定に基づいて、通信システム固有の品質劣化期待値があらかじめ差し引かれた品質劣化指標の閾値を設定することもできる。また、制御パッケージ６１は、折り返しのクロック情報の品質異常通知を、論理回路６６から入力し、ＯＳＳ１０に制御リンクを介して通知する。
【００７４】
一の例として、品質評価指標として、上述の６）のＦＦＯを指定する場合について説明する。ＯＳＳ１０は、制御パッケージ６１に、制御メッセージにより、品質評価指標としてＦＦＯを指定し、観測時間として１秒を指定し、閾値として３ｐｐｍを指定する。制御パッケージ６１は、論理回路６６に、終端装置７から折り返されたクロック情報について、品質評価指標としてのＦＦＯの測定を実施させる。
【００７５】
論理回路６６は、外部クロック信号源９から供給されたクロック情報に基づく周波数ｆ０を測定し、終端装置７から折り返されたクロック情報に基づく周波数ｆ１を測定し、品質評価指標としてのＦＦＯを｜ｆ０−ｆ１｜／ｆ０と算出する。
【００７６】
そして、論理回路６６は、指定された観測時間である１秒間だけ周波数ｆ０、ｆ１を測定し、品質評価指標としてのＦＦＯが指定された閾値である３ｐｐｍを超過したと判断したとき、制御パッケージ６１にその旨の通知を行なう。
【００７７】
ただし、通信システム固有のＦＦＯの期待値として、０．５ｐｐｍが設定されている場合には、論理回路６６は、品質評価指標としてのＦＦＯが差し引き前の閾値である３．５ｐｐｍを超過したと判断したとき、制御パッケージ６１にその旨の通知を行なう。
【００７８】
他の例として、品質評価指標として、上述の５）のＭＴＩＥを指定する場合について説明する。ＯＳＳ１０は、制御パッケージ６１に、制御メッセージにより、品質評価指標としてＭＴＩＥを指定し、観測時間として３０秒を指定し、閾値としてワンダ許容量（ＩＴＵ−Ｔ  Ｇ．８１２）を指定する。制御パッケージ６１は、論理回路６６に、終端装置７から折り返されたクロック情報について、品質評価指標としてのＭＴＩＥの測定を実施させる。論理回路６６は、指定された観測時間である３０秒間だけＭＴＩＥを測定し、品質評価指標としてのＭＴＩＥが指定された閾値であるワンダ許容量を超過したと判断したとき、制御パッケージ６１にその旨の通知を行なう。なお、品質評価指標として、上述の１）〜６）の指標を、複数同時に指定することも可能である。
【００７９】
制御パッケージ６１は、品質判定の結果を含む制御メッセージを生成可能であり、制御リンクを通じて他ノードへ向けて通知するインタフェースを実装される。品質判定の異常結果を含む制御メッセージが、ＯＳＳ１０等の管理装置や制御監視網を通じて、終端装置７等の他装置に通知されることにより、クロック情報の異常状態に応じた装置制御が、終端装置７等の他装置において可能となる。例えば、終端装置７は、端局装置６から供給されたクロック情報を、ＯＮＵ−ＩＦ７２において端局装置６から受信したとしても、ＵＮＩ−ＩＦ７３において他装置に送信することなく、異常状態の他装置への伝搬を防ぐ。
【００８０】
実施形態２の他のクロック信号品質監視方法を図６に示す。上位の装置に接続されるＰＨＹ終端部６４は、ＳＮＩ−ＩＦ６２で受信した物理信号から、クロック情報を抽出する。ＰＬＬ回路６８は、ＰＨＹ終端部６４で抽出されたクロック情報に同期したクロック情報を生成する。終端装置７に接続されるＰＨＹ終端部６５は、ＰＬＬ回路６８で生成されたクロック情報を、物理信号に重畳する。クロック情報が重畳された物理信号が、ＯＳＵ−ＩＦ６３に供給された後の処理方法は、図５と同様である。
【００８１】
（実施形態３）
実施形態３では、図７に示すように、端局装置６において回線毎の通信パッケージ６−１、６−２、・・・、６−Ｎを設け、回線毎の終端装置７−１、７−２、・・・、７−Ｎを設け、通信パッケージ６−１、６−２、・・・、６−Ｎに共通の制御パッケージ６１において、ＰＬＬ回路６１１、クロック分配機能部６１２及び論理回路６１３を実装する。
【００８２】
実施形態１、２では、各回線が、個別にリファレンスクロックを取得する。実施形態３では、制御パッケージ６１のＰＬＬ回路６１１が、代表でリファレンスクロックを取得し、各回線が、制御パッケージ６１のＰＬＬ回路６１１の出力を共有する。
【００８３】
実施形態１、２では、品質判定用の論理回路を、各回線が所有する。実施形態３では、品質判定用の論理回路を、各回線が共有する。このように、機能部を複数回線で共有することで、複数回線提供時のシステムコストを低減することができる。
【００８４】
制御パッケージ６１の論理回路６１３は、外部クロック信号源９から供給されたクロック情報を入力するとともに、各終端装置７−１、７−２、・・・、７−Ｎから各通信パッケージ６−１、６−２、・・・、６−Ｎへと折り返されたクロック情報を入力する。
【００８５】
制御パッケージ６１の記憶装置（不図示）は、各回線で折り返されたクロック情報を、各回線の通信パッケージ６−１、６−２、・・・、６−Ｎの識別子と対応付けて格納している。制御パッケージ６１の論理回路６１３は、各回線で折り返されたクロック情報及び外部クロック信号源９から供給されたクロック情報を比較し、品質判定を行なう。
【００８６】
ＯＳＳ１０は、回線毎に、品質評価指標、及び品質劣化指標の閾値を設定する。制御パッケージ６１の論理回路６１３は、回線毎に、クロック情報の品質監視を行なう。
【００８７】
以下の説明では、Ｍを１からＮまでの整数として、通信パッケージ６−Ｍ及び終端装置７−Ｍを含む回線について、構成及び処理を説明する。
【００８８】
通信パッケージ６−Ｍは、ＳＮＩ−ＩＦ６２−Ｍ、ＯＳＵ−ＩＦ６３−Ｍ、ＰＨＹ終端部６４−Ｍ、６５−Ｍ、論理回路６６−Ｍから構成される。
【００８９】
終端装置７−Ｍは、ＯＮＵ−ＩＦ７２−Ｍ、ＵＮＩ−ＩＦ７３−Ｍ、ＰＨＹ終端部７４−Ｍ、７５−Ｍ、論理回路７６−Ｍ及びＰＬＬ回路７７−Ｍから構成される。
【００９０】
通信パッケージ６−Ｍ及び終端装置７−Ｍは、光ファイバ８−Ｍを介して接続される。
【００９１】
クロック情報は、以下の経路で、終端装置７−１、７−２、・・・、７−Ｎを経由して、通信パッケージ６−１、６−２、・・・、６−Ｎに折り返される。
【００９２】
１）制御パッケージ６１のＰＬＬ回路６１１において、外部クロック信号源９から供給された外部リファレンスクロックに同期したクロック情報を生成する。
２）制御パッケージ６１のクロック分配機能部６１２において、ＰＬＬ回路６１１から供給されたクロック情報を、通信パッケージ６−ＭのＰＨＹ終端部６５−Ｍに分配する。
３）通信パッケージ６−ＭのＰＨＹ終端部６５−Ｍにおいて、ＰＬＬ回路６１１から供給されたクロック情報を重畳された物理信号を、ＯＳＵ−ＩＦ６３−Ｍ及び光ファイバ８−Ｍを介して、終端装置７−ＭのＯＮＵ−ＩＦ７２−Ｍに送信する。
４）終端装置７−ＭのＰＨＹ終端部７４−Ｍにおいて、ＯＮＵ−ＩＦ７２−１から入力された物理信号から、ＰＬＬ回路６１１から供給されたクロック情報を抽出する。
５）終端装置７−ＭのＰＬＬ回路７７−Ｍにおいて、ＰＨＹ終端部７４−Ｍから供給されたクロック情報に同期したクロック情報を生成する。
６）終端装置７−ＭのＰＨＹ終端部７４−Ｍにおいて、ＰＬＬ回路７７−Ｍから供給されたクロック情報を重畳された物理信号を、ＯＮＵ−ＩＦ７２−Ｍ及び光ファイバ８−Ｍを介して、通信パッケージ６−ＭのＯＳＵ−ＩＦ６３−Ｍに送信する。
７）通信パッケージ６−ＭのＰＨＹ終端部６５−Ｍにおいて、ＯＳＵ−ＩＦ６３−Ｍから入力された物理信号から、ＰＬＬ回路７７−Ｍから供給されたクロック情報を抽出し、制御パッケージ６１の論理回路６１３に出力する。
８）制御パッケージ６１の論理回路６１３において、ＰＨＹ終端部６５−Ｍから供給されたクロック情報に対して、品質判定を行なう。
【００９３】
クロック情報の品質監視は、回線毎の品質評価指標、及び品質劣化指標の閾値に基づいて行なわれることを除いて、実施形態３であっても、実施形態１、２と同様に行なわれる。
【産業上の利用可能性】
【００９４】
本発明に係る通信システム、マスター装置、スレーブ装置及びクロック信号品質監視方法は、Ｍａｓｔｅｒ−Ｓｌａｖｅ方式を採用する大規模な周波数同期網において、多数存在するスレーブ装置の実装を簡素化し、装置コストを抑えて同期品質の監視を実現し、クライアントデータの転送帯域を消費しない技術を実現することができる。
【符号の説明】
【００９５】
１：マスター装置
１１：制御機能部
１２：レシーバ
１３：トランスミッタ
１４：レシーバ
１５：トランスミッタ
１６：クロック信号源
１７：クロック抽出機能部
１８：クロック品質判定部
１９：同期機能部
２０：内部クロック信号源
２：スレーブ装置
２１：制御機能部
２２：レシーバ
２３：トランスミッタ
２４：レシーバ
２５：トランスミッタ
２６：クロック抽出機能部
２７：同期機能部
３：下り通信路
４：上り通信路
５：外部クロック信号源
６：端局装置
６−１、６−２、６−Ｎ：通信パッケージ
６１：制御パッケージ
６２、６２−１、６２−２、６２−Ｎ：ＳＮＩ−ＩＦ
６３、６３−１、６３−２、６３−Ｎ：ＯＳＵ−ＩＦ
６４、６４−１、６４−２、６４−Ｎ：ＰＨＹ終端部
６５、６５−１、６５−２、６５−Ｎ：ＰＨＹ終端部
６６、６６−１、６６−２、６６−Ｎ：論理回路
６７：発振器
６８：ＰＬＬ回路
６１１：ＰＬＬ回路
６１２：クロック分配機能部
６１３：論理回路
７、７−１、７−２、７−Ｎ：終端装置
７１：制御パッケージ
７２、７２−１、７２−２、７２−Ｎ：ＯＮＵ−ＩＦ
７３、７３−１、７３−２、７３−Ｎ：ＵＮＩ−ＩＦ
７４、７４−１、７４−２、７４−Ｎ：ＰＨＹ終端部
７５、７５−１、７５−２、７５−Ｎ：ＰＨＹ終端部
７６、７６−１、７６−２、７６−Ｎ：論理回路
７７、７７−１、７７−２、７７−Ｎ：ＰＬＬ回路
８、８−１、８−２、８−Ｎ：光ファイバ
９：外部クロック信号源
１０：ＯＳＳ
【図１】
0005597679.tif 000002
【図２】
0005597679.tif 000003
【図３】
0005597679.tif 000004
【図４】
0005597679.tif 000005
【図５】
0005597679.tif 000006
【図６】
0005597679.tif 000007
【図７】
0005597679.tif 000008